(57)【要約】      （修正有）【課題】秤量パンと秤量セルの荷重受部との係合および取り外しの動作を容易にする電子天秤を提供する。【解決手段】秤量セルは、荷重受構造１３を備え、荷重受構造１３の交差方向に延在するサスペンションピン２７を備える。荷重受構造１３と係合することができる秤量パン１４は、離間されるとともに接続部材によって一緒に保持される２つのサイドバー２９を備える。２つのサイドバー２９の各々は、実質的に直角で一緒に接合された水平方向の足部５５および鉛直方向の脚部５６を有するＬ字状の構成を備える。鉛直方向の脚部５６は、荷重受構造１３のサスペンションピン２９に係合するように構成されたフック状部を備える。【選択図】図５Ｃ
2019194574.tif 000002
【特許請求の範囲】
【請求項１】
電子天秤（１）であって、
秤量室後部壁（４）を有する秤量室（１０）と、
前記秤量室（１０）内に配置される秤量パン（１４）と、
前記秤量室後部壁（４）に隣接するハウジング１１と、
前記ハウジング（１１）内に配置される秤量セル（１２）と
を備え、
前記秤量セル（１２）は、前記秤量セル（１２）の前記秤量室後部壁（４）に面する側に配置される荷重受構造（１３）を備え、
前記荷重受構造（１３）は、該荷重受構造（１３）の交差方向に延在するサスペンションピン（２７）を備え、
前記秤量パン（１４）は、前記秤量室後部壁（４）に向かう方向、および、該秤量室後部壁（４）から離れる方向に、前記電子天秤（１）の長手方向に移動可能であり、
前記秤量室後部壁（４）は、少なくとも１つの通路開口（３１）を有し、
前記秤量パン（１４）は、前記少なくとも１つの通路開口（３１）を通って、前記荷重受構造（１３）と係合することができ、
前記秤量パン（１４）は、離間されるとともに接続部材（３０）によって一緒に保持される２つのサイドバー（２９）を備え、
前記２つのサイドバー（２９）の各々は、実質的に直角で一緒に接合された実質的に水平方向の部分（５５）および実質的に鉛直方向の部分（５６）を有する実質的にＬ字状の構成を備え、
前記鉛直方向の部分（５６）は、さらに、前記荷重受構造（１３）の前記サスペンションピン（２７）に係合するように構成されたフック状部（６４）を備え、
前記２つのサイドバー（２９）の各々の前記鉛直方向の部分（５６）は、さらに、ガイド部（６５）を備え、
前記ガイド部（６５）は、前記荷重受構造（１３）に向かう方向に前記フック状部（６４）から延在するとともに、前記フック状部（６４）から上方に向けて傾斜しており、
前記フック状部（６４）は、前記サスペンションピン（２７）と前記ガイド部（６５）との間の摺動接触によって、前記サスペンションピン（２７）上の係合位置に自身を着座させるために案内可能である
電子天秤。
【請求項２】
請求項１に記載の電子天秤（１）であって、
前記荷重受構造（１３）は、着座要素（２８）を備え、
前記秤量パン（１４）の前記２つのサイドバー（２９）の各々の前記鉛直方向の部分（５６）は、さらに、長手方向に延在する支持部（６６）を備え、
前記支持部（６６）は、前記フック状部（６４）の前記サスペンションピン（２７）への係合を強固に固定するように、前記着座要素（２８）に係合するように構成された
電子天秤。
【請求項３】
請求項１または請求項２に記載の電子天秤（１）であって、
前記サスペンションピン（２７）および前記着座要素（２８）は、離間されるとともに、前記荷重受構造（１３）の前記交差方向に延在するように配置され、
前記サスペンションピン（２７）および前記着座要素（２８）は、矩形、円形、長円形または多角形の断面を有している
電子天秤。
【請求項４】
請求項１ないし請求項３のいずれか一項に記載の電子天秤（１）であって、
前記フック状部（６４）と前記支持部（６６）との間隔は、前記サスペンションピン（２７）と前記着座要素（２８）との間隔と実質的に等しい
電子天秤。
【請求項５】
請求項１ないし請求項４のいずれか一項に記載の電子天秤（１）であって、
前記秤量パン（１４）の前記フック状部（６４）は、アーチ状であるとともに、前記サスペンションピン（２７）に係合する外形を有している
電子天秤。
【請求項６】
請求項１ないし請求項５のいずれか一項に記載の電子天秤（１）であって、
前記秤量パン（１４）の前記接続部材（３０）は、前記２つのサイドバー（２９）の前記鉛直方向の部分（５６）同士を接続するクロスバーである
電子天秤。
【請求項７】
請求項１ないし請求項６のいずれか一項に記載の電子天秤（１）であって、
前記秤量パン（１４）の前記接続部材（３０）は、前記２つのサイドバー（２９）の前記水平方向の部分（５５）同士を接続する格子である
電子天秤。
【請求項８】
請求項１または請求項７に記載の電子天秤（１）であって、
前記秤量パン（１４）は、さらに、前記格子に強固に取り付けられるプレートの形態のサンプル受部（６７）を備える
電子天秤。
【請求項９】
請求項１ないし請求項８のいずれか一項に記載の電子天秤（１）であって、
前記秤量室後部壁（４）は、前記２つのサイドバー（２９）の前記鉛直方向の部分（５６）が通過することができるようにするために十分な大きさを有するとともに離間された２つの鉛直方向スリット（３１）を備える
電子天秤。
【請求項１０】
請求項１ないし請求項９のいずれか一項に記載の電子天秤（１）であって、
前記秤量室後部壁（４）の前記２つの鉛直方向スリット（３１）の間の距離は、前記秤量パン（１４）の前記２つのサイドバー（２９）の間の距離と実質的に等しい
電子天秤。
【請求項１１】
請求項１ないし請求項１０のいずれか一項に記載の電子天秤（１）であって、
前記サスペンションピン（２７）は、前記秤量パン（１４）の前記２つのサイドバー（２９）の間の距離よりも長い
電子天秤。
【請求項１２】
請求項１ないし請求項１１のいずれか一項に記載の電子天秤（１）の前記荷重受構造（１３）上に前記秤量パン（１４）を設置する方法であって、
ａ．前記２つのサイドバー（２９）の前記鉛直方向の部分（５６）を、前記秤量室後部壁（４）の前記２つの鉛直方向スリット（３１）に隣接させ、かつ、当該鉛直方向スリット（３１）に対面させた状態で、前記秤量室床（３）上に前記秤量パン（１４）を位置決めする工程と、
ｂ．前記２つのサイドバー（２９）の前記鉛直方向の部分（５６）を、前記秤量室後部壁（４）の２つの対応する前記鉛直方向スリット（３１）内に前進させる工程と、
ｃ．前記２つのサイドバー（２９）の前記鉛直方向の脚部（５６）上の傾斜した前記ガイド部（６５）を前記荷重受部構造（１３）の前記サスペンションピン（２７）上を摺動して昇らせるのに十分に強い力で、前記秤量パン（１４）を前記秤量室後部壁（４）に向かう方向に押す工程と、
ｄ．前記フック状部（６４）が前記サスペンションピン（２７）に係合するようになり、前記２つのサイドバー（２９）の前記鉛直方向の脚部（５６）の前記支持部（６６）が前記着座要素（２８）に密着して前記秤量パン（１４）がその作動位置に到達するまで、前記秤量室後部壁（４）に向かう方向に前記秤量パン（１４）を押し続ける工程と
とを備える方法。
【請求項１３】
請求項１ないし請求項１１のいずれか一項に記載の電子天秤（１）の前記荷重受構造（１３）から前記秤量パン（１４）を取り外す方法であって、
ａ．前記秤量パン（１４）の前記フック状部（６４）を前記サスペンションピン（２７）から係合解除するのに十分に強い力で実質的に鉛直方向上方に前記秤量パン（１４）を持ち上げる工程と、
ｆ．前記秤量パン（１４）が前記サスペンションピン（２７）から解放され、かつ、前記秤量室（１０）から取り出され得る位置まで、前記ガイド部（６５）が重力によって前記サスペンションピン（２７）上を自由に摺動して戻ることを許容する工程と
を備える方法。
【請求項１４】
請求項１２に記載の方法であって、
前記２つのサイドバー（２９）の前記鉛直方向の脚部（５６）同士を接続する前記クロスバー（５７）は、前記サイドバー（２９）の前記水平方向の部分（５５）が前記鉛直方向スリット（３１）に入る前に、前記秤量室後部壁（４）へ向かう前記秤量パン（１４）のさらなる前進を阻止するように構成される
方法。
【発明の詳細な説明】
【背景技術】
【０００１】
［0001］本発明は、秤量パンが片持ちアームによって支持される電子天秤に関する。片持ちアームは、秤量セルを収容するハウジングから秤量室（すなわち、ハウジングに隣接し、秤量パンを収容する取り囲まれた区画）内へ実質的に水平方向に突出する。片持ち支持アーム（これは、秤量セルの荷重受部に接続される）は、ハウジングの通路開口を経由して秤量室内に到達し、その結果、秤量パン上の物体によって作用される重量力が、片持ちアームおよび荷重受部を経由して秤量パンから秤量セルへ伝達される。重量力は、公知の電気機械原理を使用して秤量セルによって測定され、測定結果は、表示、および／または、さらなる処理のために数字として利用可能にされる。
【０００２】
［0002］電子天秤における片持ち支持された秤量パンすなわち秤量プラットフォームのコンセプトは、公知の最新技術に属する。この構成は、典型的には化学研究室および製薬研究室、産業品質管理、宝飾品取引、貨幣収集、大気汚染フィルタの秤量、ならびに、多くの他の用途で使用される最も高精度の階級の天秤に使用される。また、天秤が重量を非常に正確に測定することを可能にする感度によって、天秤は、秤量パンの領域における空気の循環に影響を受けやすくなる。空気通風に対するこの感度が、上述した取り囲まれた秤量室（風防とも称される）の理由である。
【０００３】
［0003］片持ち秤量パンを有する電子天秤が、例えば、米国特許出願公開第２００３／０１８８８９７号に記載されている。その動作位置では、この種の天秤は、風防で取り囲まれた秤量室が前、すなわち、ユーザの最も近くに位置し、秤量セルを有するハウジングが後、すなわち、ユーザから遠い側に位置する状態で存在する。片持ち支持アームは、Ｌ字状であり、秤量セルの前側で荷重受部に接続されるＬ字の鉛直方向脚部と、秤量セルから秤量室内へ前方に向けて突出する秤量パンを有する水平方向脚部と、を備えている。片持ち支持アームと秤量セルの荷重受部との間の接続は、鉛直方向に向けられた重量力をしっかりと伝達するが、完全な係合から滑ることによって、交差する水平方向に向けられた力を生じさせるように構成される。
【０００４】
［0004］米国特許出願公開第２００３／０１８８８９７号にしたがった片持ち支持された秤量パンを有する天秤は、秤量室の床を通る通路開口を必要としない。これによって、秤量室の清掃が容易になり、秤量室の下方において床開口を通って落ちてベース区画内に入るこぼれた材料の問題をなくす。これは、秤量室の下方においてベース筐体内に設置される内蔵較正機構を天秤が有する場合に特に重要である。
【０００５】
［0005］米国特許第６，５５７，３９１号には、上述の例に類似の電子天秤が記載されている。片持ちの秤量パンが、秤量荷重のための様々な種類のホルダ装置（例えば、傾いた位置でテストチューブを保持することができる装置）に対して置換可能である。
【０００６】
［0006］米国特許第７，２２７，０８８号に記載された電子天秤では、片持ちキャリアアームが、フラスコの口（これを通って、物質が例えばピペットからフラスコ内に分注される）が風防の側壁パネルの小さな開口の近傍に位置決めされた状態で、調節可能な角度でフラスコを保持するように構成される。秤量セルの荷重受部に対する片持ちキャリアアームの接続は、上述の例に類似しており、その結果、同じ天秤で様々な秤量荷重キャリアを置換可能に使用することができる。
【０００７】
［0007］片持ちキャリアアームのコンセプトの多用途性は、さらに、米国特許出願公開第２０１０／０１７０７２３号に明示されている。複数の受入容器のためのカルーセル機構が片持ちキャリアアームに取り付けられる。また、ソフトウェアプログラムにしたがった動作の流れを制御するコンピュータまたはプロセッサに天秤、カルーセル機構および用量分注装置がインタフェース接続される自動化プロセスにおいて、用量分注装置が、規定量の物質を受入容器内に分注するように構成される。
【０００８】
［0008］上述の例の全てにおいて、秤量物キャリア（本明細書では、概して、秤量パンと呼ぶ）は、実質的にＬ字状の構造として構成される。このＬ字の鉛直方向脚部は、秤量セルの荷重受部に取り外し可能に接続され、Ｌ字の足部は、片持ち支持アームを形成する。片持ち支持アームは、秤量室内に突出し、秤量プラットフォームまたは他の荷重支持要素を支持する。上記で引用された従来技術の天秤において秤量パンを接続および取り外しする動作は、道具の使用を必要としないものの、容易に行うことはできない。なぜなら、秤量パンと秤量セルの荷重受部とを確実に正しく係合させるためには、ある程度の労力がかかるからである。
【発明の概要】
【発明が解決しようとする課題】
【０００９】
［0009］本発明の目的は、秤量パンと秤量セルの荷重受部との係合および取り外しの動作を容易にする１つ以上の新たな特徴を提供することによって、上述したタイプの電子天秤を改善することである。
【課題を解決するための手段】
【００１０】
［0010］この課題は、請求項１にしたがった秤量パンを有する電子天秤によって解決される。本発明の有利な実施形態および詳細な特徴は、従属請求項に記載されている。
【００１１】
［0011］本発明に関するタイプの電子天秤は、秤量パンを収容する秤量室と、秤量セルを収容するハウジングと、を備えている。秤量室は、ハウジングの一部分である秤量室後部壁を有している。秤量室からハウジングに向かう方向は、電子天秤の長手方向または前後方向として定義される。交差方向が、水平方向、かつ、長手方向に直交する方向として定義される。秤量セルは、秤量セルの前側において秤量室後部壁の近傍に配置される荷重受構造を備えている。荷重受構造は、荷重受構造の交差方向に延在するサスペンションピンを備えている。秤量パンは、秤量室後部壁に向けて、および、秤量室後部壁から離れる方向に、長手方向に移動可能であり、秤量室後部壁は、少なくとも１つの通路開口を有している。秤量パンは、この通路開口を通って、荷重受構造と係合され得る。秤量パンは、離間されるとともに接続部材によって一緒に保持される２つのサイドバーを備えている。サイドバーの各々は、Ｌ字の形状に接合された実質的に水平方向の脚部および実質的に鉛直方向の脚部を備えている。鉛直方向の脚部は、荷重受構造のサスペンションピンに係合するように構成されたフック状部を有する長手方向後方に向けられた先端を備えている。本発明によれば、２つのサイドバーの各々の鉛直方向の脚部の長手方向後方に向けられた先端は、さらに、下方に向けられたガイド部を備えている。このガイド部は、フック状部の後に位置し、フック状部から上向きに傾斜しており、それによって、フック状部は、ガイド部とサスペンションピンとの摺動接触によって、サスペンションピン上の係合位置に自身を着座させるために案内可能である。
【００１２】
［0012］本発明にしたがった電子天秤の好ましい実施形態では、荷重受構造は、サスペンションピンの下方の位置に配置される少なくとも１つの着座要素を備え、一方、秤量パンの２つのサイドバーの各々の鉛直方向の脚部は、上記長手方向後方に向けられた先端の下方の位置に配置される長手方向後方に向けられた支持部を備えている。支持部は、フック状部を引っ張って、サスペンションピンに強固に係合するために、支持部と着座要素との間の係合接触が秤量パンの重量の静モーメントのためのレバー支点を形成するように、着座要素上に自身を着座させるように構成される。
【００１３】
［0013］本発明にしたがった電子天秤の好ましい実施形態では、サスペンションピンと着座要素とは、互いから離間されており、荷重受構造の交差方向に延在するように配置され、さらに、サスペンションピンおよび着座要素は、矩形、円形、長円形または多角形の断面を有している。
【００１４】
［0014］好ましくは、フック状部と支持部との間の間隔は、サスペンションピンと着座要素との間の間隔と実質的に等しい。この配置によって、秤量パンが秤量セルの荷重受部上に設置されるときに、秤量パンと荷重受構造とが確実に位置整合される。
【００１５】
［0015］秤量パンのフック状部は、好ましくは、サスペンションピンとの係合するように構成されたアーチ状の外形を有している。フック状部のアーチ状の外形は、サスペンションピンの断面と完全に一致する。
【００１６】
［0016］本発明にしたがった電子天秤の好ましい実施形態では、秤量パンの接続部材は、２つのサイドバーの鉛直方向の脚部同士を接続するクロスバーとして構成される。このクロスバーは、接続機能を発揮することに加えて、長手方向における秤量パンの内向きの移動の範囲を制限する。クロスバーの他の利点は、秤量物（例えば、バイアル）が、秤量室後部壁に物理的に接触しないことである。秤量物が秤量パンにのみに接触するので、正確な重量測定が確保される。
【００１７】
［0017］２つのサイドバーの鉛直方向の脚部同士を接続することに加えて、または、代えて、秤量パンの接続部材は、２つのＬ字状のサイドバーの水平方向の脚部同士を接続する格子状プラットフォームを備えていてもよい。格子状プラットフォームは、秤量パンの主要荷重受部として作用する。
【００１８】
［0018］秤量パンの有利な構成では、プレートの形態のサンプル受部が配置され、格子状プラットフォームの頂部に強固に取り付けられる。サンプル受部は、秤量荷重が中央から外れていることに起因する秤量誤差を最小化するために秤量パン上の秤量荷重を中央配置するための可視ガイドとして機能する。それは、格子上に安全に着座され得ない小さい、または、不規則な形状の秤量物のための確実な支持面も提供する。
【００１９】
［0019］有利には、秤量室後部壁において開口する通路は、２つの鉛直方向スリットの形態で構成される。２つのスリットの幅、高さ、および、互いからの距離は、サイドバーがスリットを通過することができる十分なクリアランスを有して、２つのサイドバーの鉛直部分に一致する。
【００２０】
［0020］本発明の好ましい実施形態では、秤量室後部壁の２つの鉛直方向スリットの間の間隔は、秤量パンの２つのサイドバー全体の間の間隔に実質的に等しい。換言すれば、２つのサイドバーは、互いに平行である。このため、２つの鉛直方向スリットは、秤量セルの荷重受部上に秤量パンを設置する作業中において、２つのサイドバーを容易に案内する。
【００２１】
［0021］有利には、サスペンションピンは、秤量パンの２つのサイドバーの間の間隔よりも長い。この構成によって、秤量パンの交差方向への可能な変位に起因する秤量パンと荷重受部との望ましくない係合解除が防止される。
【００２２】
［0022］本発明にしたがった電子天秤では、秤量セルの荷重受部上に秤量パンを設置する作業は、次の手順の工程によって達成される。
ａ．２つのＬ字状サイドバーの鉛直方向の脚部を、秤量室後部壁の２つの鉛直方向スリットに隣接させ、かつ、当該鉛直方向スリットに対面させた状態で、秤量室床上に秤量パンを位置決めする工程
ｂ．２つのサイドバーの鉛直方向の脚部を、秤量室後部壁の２つの対応する鉛直方向スリット内に前進させる工程と、
ｃ．２つのサイドバーの鉛直方向の脚部上の傾斜したガイド部を荷重受部構造のサスペンションピン上を摺動して昇らせるのに十分に強い力で、秤量パンを秤量室後部壁に向かう方向に押す工程
ｄ．フック状部がサスペンションピンに係合するようになり、Ｌ字状サイドバーの鉛直方向の脚部の支持部が着座要素に密着する（この時点で秤量パンがその作動位置に到達する）まで、秤量室後部壁に向かう方向に秤量パンを押し続ける工程。
【００２３】
［0023］２つのサイドバーの鉛直方向の脚部同士を接続するクロスバーが、Ｌ字状のサイドバーの水平方向の足部が鉛直方向スリット内に入り始める前に、秤量パンのさらなる前進を阻止するように構成される場合には、最後の工程（ｄ）における秤量パンの移動は、有利には、制限される。
【００２４】
［0024］さらに、本発明によれば、秤量パンを取り外す作業は、次の手順の工程によって達成される。
ｅ．秤量パンのフック状部をサスペンションピンから係合解除するのに十分に強い力で実質的に鉛直方向上方に秤量パンを持ち上げる工程
ｆ．秤量パンがサスペンションピンから解放され、かつ、秤量室から取り出され得る位置まで、ガイド部が重力によってサスペンションピン上を自由に摺動して戻ることを許容する工程。
【００２５】
［0025］秤量パンの本発明の構成を有する電子天秤、および、ロードセルの荷重受部へのその取り付けを、図面に概略的に示される実施形態を通じて以下に説明する。
【図面の簡単な説明】
【００２６】
【図１】本発明に関するタイプの完全な電子天秤を斜視図で示している。
【図２】図１の電子天秤の風防を斜視図で示している。
【図３Ａ】本発明にしたがった天秤の秤量パンを斜視図で示している。
【図３Ｂ】図３Ａの秤量パンの側面図を示している。
【図４Ａ】本発明にしたがった天秤の秤量セルの荷重受構造を斜視図で示している。
【図４Ｂ】図４Ａの荷重受構造の正面図を示している。
【図４Ｃ】図４Ａの荷重受構造の側面図を示している。
【図５Ａ】図４Ａ〜４Ｃの荷重受構造上に設置された図３Ａ〜３Ｂの秤量パンを示している。
【図５Ｂ】図５Ａ〜５Ｃの荷重受構造および秤量パンを正面図で示している。
【図５Ｃ】図５Ａ〜５Ｃの荷重受構造および秤量パンを側面図で示している。
【図６Ａ】秤量パンを秤量セルの荷重受構造に取り付けるための工程の手順を示している。
【図６Ｂ】秤量パンを秤量セルの荷重受構造に取り付けるための工程の手順を示している。
【図６Ｃ】秤量パンを秤量セルの荷重受構造に取り付けるための工程の手順を示している。
【図６Ｄ】秤量パンを秤量セルの荷重受構造に取り付けるための工程の手順を示している。
【図７Ａ】秤量パンを秤量セルの荷重受構造から取り外すための工程の手順を示している。
【図７Ｂ】秤量パンを秤量セルの荷重受構造から取り外すための工程の手順を示している。
【図７Ｃ】秤量パンを秤量セルの荷重受構造から取り外すための工程の手順を示している。
【図７Ｄ】秤量パンを秤量セルの荷重受構造から取り外すための工程の手順を示している。
【発明を実施するための形態】
【００２７】
［0026］図１は、本発明にしたがった電子天秤１を３次元図で示している。電子天秤１の主要な部品は、ディスプレイコンソールＤ、ベース本体２、秤量室１０およびハウジング１１である。ハウジング１１は、秤量セル１２を収容している。秤量パン１４（ここでは、格子形状の秤量プラットフォーム１４の形態で示される）は、秤量室１０の内部に収容されている。秤量室１０は、風防５の透明壁パネルによって周囲空間に対して境界付けられ、秤量室後部壁４によってハウジングに対して境界付けられ、秤量室床３によってベース本体２に対して境界付けられている。天秤１の支持脚Ｓの１つは、見る者に対面するベース本体２の角部のところに示されている。
【００２８】
［0027］図２は、秤量室１０を単独で示しており、天秤１の残りの部分は図示していない。秤量室１０は、頂部、側部および前部のところで、風防壁パネル６，７，８，９によってそれぞれ取り囲まれ、後側のところで秤量室後部壁４によって取り囲まれ、底部のところで秤量室床３によって取り囲まれている。秤量室後部壁４は、モジュール式構造を有しており、ベースモジュール１５と頂部モジュール１６とを備えている。秤量室後部壁４のベースモジュール１５は、鉛直方向スリット３１の形態の２つの通路開口を有している。秤量パン１４は、以下で詳細に説明し、図示するように、鉛直方向スリット３１を通って秤量セル１２に接続される。
【００２９】
［0028］図３Ａは、天秤１の秤量パン１４を斜視図で示しており、図３Ｂは、天秤１の秤量パン１４を側面図で示している。秤量パン１４の主要部材は、長手方向すなわち前後方向、および、（天秤１における秤量パン１４の設置位置に対して）鉛直方向に延在するＬ字状の２つのサイドバー２９と、クロスバー５７と、交差方向に延在する格子５８のバーと、である。Ｌ字状のサイドバー２９の鉛直部分すなわち脚部５６同士を接続するクロスバー５７、および、Ｌ字状のサイドバー２９の水平部分すなわち片持ち足部５５同士を接続する格子５８は、本明細書では、接続部材３０と総称する。鉛直部分５６の特定の特徴（これは、本発明に関連しており、また、その機能は、図４〜６の説明および図示から明らかになるであろう）は、フック状部６４と、傾斜ガイド部６５と、支持部６６と、を備えている。プレートの形態のサンプル受部６７は、格子５８の頂部に配置され、強固に取り付けられる。サンプル受部６７は、秤量荷重が中央から外れていることに起因する秤量誤差を最小化するために、秤量パン１４上の秤量荷重を中央配置するための可視化ガイドとして機能する。それは、格子５８上に安全に着座され得ない小さい、または、不規則な形状の秤量物のための確実な支持面も提供する。
【００３０】
［0029］図４〜４Ｃは、荷重受部すなわち荷重受構造１３の斜視図、正面図および側面図をそれぞれ示している。荷重受構造１３は、電子天秤１の秤量セル１２の一部分である。荷重受構造１３の特定の特徴（これらは、本発明に関連している）は、サスペンションピン２７と着座要素２８とを備えている。秤量パン１４が荷重受構造１３上に設置されたとき（図５Ａ〜５Ｃ参照）、Ｌ字状のサイドバー２９の鉛直方向脚部５６上のフック状部６４は、サスペンションピン２７の両端において、段差を下った終端部に係合し、一方、Ｌ字状のサイドバー２９の鉛直方向脚部５６上の支持部６６は、着座要素２８の横方向先端上に着座される。図示される荷重受構造１３は、その下部端のところに、交差方向較正重量クレードル７３を有する片持ち支持アーム７２を備えている。支持アーム７２および較正重量クレードル７３は、電子天秤１の秤量室床３の下方でベース本体２内に収容された較正機構の一部分である。ただし、支持アーム７２および較正重量クレードル７３は、本発明に関係しておらず、本発明の限定として決して理解されるべきではない。
【００３１】
［0030］図５Ａ〜５Ｃは、図３Ａ，３Ｂの秤量パン１４の斜視図、正面図および側面図を、図４Ａ〜４Ｃの荷重受構造１３とともに、それらがどのようにして互いに接続されるのかを示すために、それぞれ示している。天秤の内部に設置されると、格子プラットフォーム５８を有するＬ字状のサイドバー２９の水平部分５５は、秤量室床３の上方の鉛直距離のところで秤量室１０内に延在し、一方、較正重量クレードル７３を有する支持アーム７２は、秤量室床３の下方でベース本体２内に位置する。同様に、秤量パン１４の鉛直方向脚部５６の前を向く部分は、秤量室後部壁４の前方の空間距離のところに位置し、一方、荷重受構造１３は、秤量室後部壁４の背後の空間距離のところに位置する。サイドバー２９の折り戻された長手方向に向けられた部分は、荷重受構造１３の着座要素２８およびサスペンションピン２７と係合するために、周囲全体に及ぶ横方向クリアランスを有して、秤量室後部壁４の鉛直方向スリット３１を通って延在する。
【００３２】
［0031］図６ａ〜６ｄは、秤量セルの荷重受部に秤量パンを取り付けるための動作の手順を示している。
・図６ａにおいて、秤量パン１４は、秤量室後部壁４の前で秤量室床３上に配置される。サイドバー２９の折り戻された長手方向に向けられた部分は、秤量室後部壁４の鉛直方向スリット３１内に入るために位置調整される。
・図６ｂにおいて、秤量パンは、サイドバー２９の折り戻された長手方向に向けられた部分の傾斜ガイド部６５が鉛直方向スリット３１を通過してサスペンションピン２７上に乗り上げて滑り始める位置まで、秤量室後部壁４に向けた方向に押されている。
・図６ｃにおいて、秤量パンは、さらに押されて、係合移動の最も高い位置まで戻っている。ここでは、傾斜ガイド部６５は、フック状部（６４）に直面する。
・図６ｄにおいて、秤量パン１４は、重力の影響のもと、押されて傾斜ガイド部６５の端を越えており、また、フック状部６４がサスペンションピン２７を受け入れる係合状態になっている。同時に、支持部６６は、着座要素２８内にしっかりと着座している。支持部６６と着座要素２８との係合接触は、秤量パン１４の重量の静モーメントのためのレバー支点を形成して、フック状部６４を引っ張り、サスペンションピン２７との強固な係合が得られる。
【００３３】
［0032］図７ａ〜７ｄは、秤量セルの荷重受部から秤量パンを取り外すための動作の手順を示している。
・図７ａにおいて、秤量パン１４は、荷重受構造１３に取り付けられている。
・図７ｂにおいて、秤量パン１４は、荷重受構造１３上のその着座部から持ち上げられ始めている。フック状部６４は、もはや、サスペンションピン２７にしっかりと接触して着座した状態ではない。
・図７ｃにおいて、秤量パン１４は、係合解除移動の最も高い位置に到達しており、そこでは、フック状部６４は、滑ってサスペンションピン２７から外れており、傾斜ガイド部６５は、サスペンションピン２７上を滑り落ち始めている。
・図７ｄにおいて、傾斜ガイド部６５は、重力のもとでサスペンションピン２７に沿って滑り戻って、秤量パン１４が、サスペンションピン２７および着座要素２８から解放された状態で秤量室床３に載置されるとともに秤量室１０から取り出され得る位置に至っている。
【００３４】
［0033］秤量セルの荷重受構造に片持ち秤量パンを取り付ける本発明のコンセプトの１つの具体的な実施形態を提示することによって本発明を説明したが、多数の追加的な変形形態が本発明の教示によって包含され、それには、例えば、格子状プラットフォームに加えて、他の種類の片持ち秤量物ホルダが含まれることが自明であると考えられる。秤量セルの荷重受構造に接続される片持ち秤量物キャリアの本発明の構成のそのような組合せおよび変形は、例外なく、それによって本発明のために求められる保護範囲内にあると考えられる。
【符号の説明】
【００３５】
１…電子天秤
２…ベース本体
３…秤量室床
４…秤量室後部壁
５…風防
６…頂部壁パネル
７…第１の側壁パネル
８…第２の側壁パネル
９…前部側壁パネル
１０…秤量室
１１…ハウジング
１２…秤量セル
１３…荷重受構造、１２の荷重受部
１４…秤量パン
１５…ベースモジュール
１６…頂部モジュール
２７…サスペンションピン
２８…着座要素
２９…サイドバー
３０…接続部材
３１…鉛直方向スリット
５５…水平部分、Ｌ字状のサイドバー２９の脚部
５６…鉛直部分、Ｌ字状のサイドバー２９の鉛直方向脚部
５７…クロスバー
５８…格子
６４…フック状部
６５…ガイド部
６６…支持部
６７…サンプル受部
７２…片持ち支持アーム
７３…交差方向較正重量クレードル
７３…較正重量クレードル
Ｄ…ディスプレイ
Ｓ…支持部材
【図１】
2019194574.tif 000003
【図２】
2019194574.tif 000004
【図３Ａ】
2019194574.tif 000005
【図３Ｂ】
2019194574.tif 000006
【図４Ａ】
2019194574.tif 000007
【図４Ｂ】
2019194574.tif 000008
【図４Ｃ】
2019194574.tif 000009
【図５Ａ】
2019194574.tif 000010
【図５Ｂ】
2019194574.tif 000011
【図５Ｃ】
2019194574.tif 000012
【図６Ａ】
2019194574.tif 000013
【図６Ｂ】
2019194574.tif 000014
【図６Ｃ】
2019194574.tif 000015
【図６Ｄ】
2019194574.tif 000016
【図７Ａ】
2019194574.tif 000017
【図７Ｂ】
2019194574.tif 000018
【図７Ｃ】
2019194574.tif 000019
【図７Ｄ】
2019194574.tif 000020
【外国語明細書】
2019194574000001.pdf